(57)【要約】【課題】  集光効果を高めながら、液晶表示装置におけるモアレを低減することが可能な集光フィルタを提供する。【解決手段】  透明平面基板１６１の表面上及び前記表面の反対面上のそれぞれに複数のプリズム１６２ｂ〜１６２ｏが形成され、プリズム１６２ｂ〜１６２ｏにより光源からの光を集光する集光フィルタ１６ｂであって、表面上に形成されるプリズム１６２ｂ〜１６２ｏは、表面上のＸ方向に延在する直線形状を呈し、Ｘ方向に直交するＹ方向に配列されており、反対面上に形成されるプリズム１６２ｂ〜１６２ｏは、反対面上のＹ方向に延在する直線形状を呈し、Ｘ方向に配列されており、表面上に形成されるプリズム１６２ｂ〜１６２ｏ及び反対面上に形成されるプリズム１６２ｂ〜１６２ｏは、それぞれ不規則に配列されている。【選択図】  図４
2005265894.tif 000002
【特許請求の範囲】
【請求項１】
平面基板の表面上及び前記表面の反対面上のそれぞれに複数のプリズムが形成され、前記複数のプリズムにより光源からの光を集光する集光フィルタであって、
前記表面上に形成される複数のプリズムは、前記表面上の特定方向に延在する直線形状を呈し、前記特定方向に直交する方向に配列されており、
前記反対面上に形成される複数のプリズムは、前記反対面上の前記特定方向に直交する方向に延在する直線形状を呈し、前記特定方向に配列されており、
前記表面上に形成される複数のプリズム及び前記反対面上に形成される複数のプリズムは、それぞれ不規則に配列されている集光フィルタ。
【請求項２】
請求項１記載の集光フィルタであって、
前記表面上に形成される複数のプリズムの配列の不規則性の度合いと、前記反対面上に形成される複数のプリズムの配列の不規則性の度合いとが、互いに異なる集光フィルタ。
【請求項３】
平面基板の表面上に複数のプリズムが形成され、前記複数のプリズムにより光源からの光を集光する集光フィルタであって、
前記表面上に形成される複数のプリズムは、前記表面上の特定方向に延在する直線形状を呈し、前記特定方向に直交する方向に不規則に配列されており、
前記複数のプリズムの各々の頂部の前記表面からの高さが同一である集光フィルタ。
【請求項４】
請求項３記載の集光フィルタであって、
前記複数のプリズムは前記配列方向に連続して形成されており、
前記複数のプリズムは、それぞれ等しい頂角を有し、
前記複数のプリズムのうち隣接する２つのプリズムで挟まれる谷部の前記表面からの高さがばらつきを持つ集光フィルタ。
【請求項５】
請求項３又は４記載の集光フィルタであって、
前記表面の反対面に前記複数のプリズムが更に形成されており、
前記反対面に形成されている複数のプリズムは、当該複数のプリズムの配列方向が前記表面に形成されている複数のプリズムの配列方向と直交するように形成されている集光フィルタ。
【発明の詳細な説明】
【技術分野】
【０００１】
本発明は、基板上に複数のプリズムが形成され、該複数のプリズムにより光源からの光を集光する集光フィルタに関する。
【背景技術】
【０００２】
液晶表示装置は、液晶分子の光学異方性、配向性、流動性及び誘電異方性という電気光学効果を利用して、光の透過率や反射率を変化させて画像等を表示するものである。この液晶表示装置は肉薄かつ軽量で、消費電力が少ないため、今日では、パーソナルコンピュータ、テレビ受像機、携帯端末等に広く利用されている。
【０００３】
又、液晶表示装置は、例えば、バックライト用の光源（冷陰極管）と、光源からの光を導出する導光板と、光を拡散する拡散フィルムと、導光板からの光を集光して液晶層に入射させるプリズムシートと、液晶層を有する液晶表示パネル等とを順次積層したものからなる。この液晶表示装置では、光源からの光を導光板から拡散フィルムに導き、この拡散フィルムで均一に拡散した光を、プリズムシートにより集光して液晶層に入射させている。このプリズムシートにより、液晶表示装置の表示輝度を向上させることができる。
【０００４】
従来、平面基板の表面と裏面に複数のプリズムが規則的に配列されており、表面に配列してあるプリズムの配列方向と、裏面に配列してあるプリズムの配列方向とが直交しているプリズムシートが知られている（特許文献１、２参照）
【０００５】
又、平面基板の表面に複数のプリズムが不規則に配列されているプリズムシートが知られている（非特許文献１参照）。
図７は、非特許文献１記載のプリズムシートの概略構成を示す斜視図である。図７のプリズムシートは、頂角（頂部の角度）が同一の複数のプリズム１が、平面基板２の表面上においてＸ方向に連続して形成されたものである。図７では、複数のプリズム１の各々の境界線を、各プリズム同士の間の谷部４から表面に垂直に下ろした点線で示している。各プリズムの頂部３の表面からの高さと、各プリズム同士の間の谷部４の表面からの高さとが、それぞればらつきを持っており、これにより、複数のプリズム１の配列ピッチ（隣接する２つのプリズムのＸ方向の幅の中点同士を結ぶ距離）がばらつき、複数のプリズム１がＸ方向に不規則に配列されている。
【０００６】
図７のプリズムシートによれば、複数のプリズム１の配列が不規則になっているため、このプリズムシートを搭載する液晶表示装置の表示画素やカラーフィルタ等の配列との干渉を防ぐことができ、モアレを低減することができる。尚、図７のプリズムシートを２つ使用することで、液晶表示装置の表示輝度をより向上させることも可能である。この場合、２つのプリズムシートは、それぞれに形成されている複数のプリズムの配列方向が互いに直交するように、液晶表示装置の導光板と液晶層との間に配置される。
【０００７】
【特許文献１】特開平８−２６２２０６号公報
【０００８】
【特許文献２】特開平１１−１０９１３４号公報
【０００９】
【非特許文献１】住友スリーエム株式会社製  輝度上昇フィルム「ＢＥＦIIIシリーズ」の製品カタログ
【発明の開示】
【発明が解決しようとする課題】
【００１０】
特許文献１、２記載のプリズムシートは、表面と裏面に複数のプリズムを配列することで、その集光効果を高めているが、表面と裏面に形成されているプリズムは規則的に配列されているため、このプリズムレンズシートを搭載した液晶表示装置においてモアレが発生してしまう。
【００１１】
非特許文献１記載のプリズムシートは、複数のプリズム１の頂部３の表面からの高さが同一となっていないため、このプリズムシートの複数のプリズム１の上に拡散板等の光学フィルムや液晶層を配置したときに、光学フィルムや液晶層の平面性が損なわれてしまい、光のむらを生じる等の問題点がある。
【００１２】
本発明は、上記事情に鑑みてなされたものであり、集光効果を高めながら、液晶表示装置におけるモアレを低減することが可能な集光フィルタを提供することを目的とする。
又、本発明は、液晶表示装置におけるモアレを低減することが可能な平面性の高い集光フィルタを提供することを目的とする。
【課題を解決するための手段】
【００１３】
本発明の集光フィルタは、平面基板の表面上及び前記表面の反対面上のそれぞれに複数のプリズムが形成され、前記複数のプリズムにより光源からの光を集光する集光フィルタであって、前記表面上に形成される複数のプリズムは、前記表面上の特定方向に延在する直線形状を呈し、前記特定方向に直交する方向に配列されており、前記反対面上に形成される複数のプリズムは、前記反対面上の前記特定方向に直交する方向に延在する直線形状を呈し、前記特定方向に配列されており、前記表面上に形成される複数のプリズム及び前記反対面上に形成される複数のプリズムは、それぞれ不規則に配列されている。
【００１４】
この構成により、同一の平面基板の表面と反対面に複数のプリズムが不規則な配列で形成されているため、この集光フィルタを液晶表示装置の導光板と液晶層との間に設けた場合、光源からの光の集光効果を高めながら、モアレを低減することができる。
【００１５】
又、本発明の集光フィルタは、前記表面上に形成される複数のプリズムの配列の不規則性の度合いと、前記反対面上に形成される複数のプリズムの配列の不規則性の度合いとが、互いに異なる。
【００１６】
この構成により、より効果的にモアレを低減することができる。
【００１７】
本発明の集光フィルタは、平面基板の表面上に複数のプリズムが形成され、前記複数のプリズムにより光源からの光を集光する集光フィルタであって、前記表面上に形成される複数のプリズムは、前記表面上の特定方向に延在する直線形状を呈し、前記特定方向に直交する方向に不規則に配列されており、前記複数のプリズムの各々の頂部の前記表面からの高さが同一である。
【００１８】
この構成により、表面に形成される複数のプリズムが不規則に配列されているため、例えば、この集光フィルタを液晶表示装置の導光板と液晶層との間に設けた場合、液晶表示装置におけるモアレを低減することができる。又、複数のプリズムの各々の頂部の表面からの高さが同一であるため、集光フィルタの平面性を高めることができ、この集光フィルタを液晶表示装置の導光板と液晶層との間に設けた場合、表示輝度のムラをなくすことができる。又、平面性の高い集光フィルタは、液晶表示装置への組み込みが容易であるため、液晶表示装置の製造コストを削減することができる。
【００１９】
又、本発明の集光フィルタは、前記複数のプリズムは前記配列方向に連続して形成されており、前記複数のプリズムは、それぞれ等しい頂角を有し、前記複数のプリズムのうち隣接する２つのプリズムで挟まれる谷部の前記表面からの高さがばらつきを持つ。
【００２０】
この構成により、複数のプリズムの各々の頂角が等しく且つ複数のプリズム同士の間に隙間が生じていないため、光を効率良く集光でき、集光効果を高めることができる。又、複数のプリズムのうち隣接する２つのプリズムで挟まれる谷部の表面からの高さにばらつきを持たせることで不規則配列を実現することができる。このため、この集光フィルタを、光源を有する液晶表示装置の導光板と液晶層との間に設けた場合、光源からの光の集光効果を高めながら、モアレを低減することが可能となる。
【００２１】
又、本発明の集光フィルタは、前記表面の反対面に前記複数のプリズムが更に形成されており、前記反対面に形成されている複数のプリズムは、当該複数のプリズムの配列方向が前記表面に形成されている複数のプリズムの配列方向と直交するように形成されている。
【００２２】
この構成により、同一の平面基板の表面と反対面に複数のプリズムが形成されているため、集光効果をより高めることができる。
【発明の効果】
【００２３】
本発明によれば、集光効果を高めながら、液晶表示装置におけるモアレを低減することが可能な集光フィルタを提供することができる。又、本発明によれば、液晶表示装置におけるモアレを低減することが可能な平面性の高い集光フィルタを提供することができる。
【発明を実施するための最良の形態】
【００２４】
以下、本発明の実施形態について図面を参照して説明する、
図１は、本発明の実施形態を説明するための液晶表示装置の概略断面図である。
液晶表示装置１００は、液晶層１７を背面側から照明するための冷陰極管等からなる光源１１と、光源１１からの光を反射する反射板１２と、光源１１からの光及び反射板１２で反射された光を液晶層１７側に向けるための導光板１４と、導光板１４内から出てくる光を導光板１４内あるいは液晶層１７側に戻すための拡散板（又は反射板）１３と、導光板１４から出射された光を拡散する拡散フィルム１５と、拡散フィルム１５で拡散された光を集光して液晶層１７に入射させる集光フィルタ１６と、偏光板１８及び１９と、液晶層１７とを備える。図１に示すように、拡散板（又は反射板）１３、導光板１４、拡散フィルム１５、集光フィルタ１６、偏光板１８、液晶層１７、及び偏光板１９は、この順に積層されている。
図１では、冷陰極管を光源とする導光板を用いた液晶表示装置を例として説明しているが、光源として、ＬＥＤ、有機ＥＬ、及び無機ＥＬ等の平面型の光源を用いた液晶表示装置であっても良い。
【００２５】
集光フィルタ１６は、フィルムやシート等の透明平面基板の表面上に複数のプリズムがフォトポリマー等により形成され、この複数のプリズムにより光源１１からの光を集光するものである。透明平面基板は、例えば、ガラスやプラスチック等の素材が用いられる。
【００２６】
以下、図１の集光フィルタ１６の具体的構成について第一及び第二実施形態で説明する。
（第一実施形態）
図２は、本発明の第一実施形態を説明するための集光フィルタの概略構成を示す図であり、（ａ）は斜視図、（ｂ）は（ａ）のＹ方向から見た図である。
図２の集光フィルタ１６は、フィルムやシート等の透明平面基板１６１の表面の片面に、複数のプリズム１６２ｂ〜１６２ｏがＸ方向に渡って連続して形成されたものである。透明平面基板１６１は、例えば、ガラスやプラスチック等の素材が用いられる。尚、透明平面基板１６１と複数のプリズム１６２ｂ〜１６２ｏとを一体のものとして形成しても良い。本実施形態では、プリズム１６２ｂ〜１６２ｏの各々の境界線を、プリズム１６２ｂ〜１６２ｏの各々の谷部１６９（図２では一部にのみ符号を付してある）から透明平面基板１６１の表面に垂直に下ろした線（図２では点線で示してある）で示した。
【００２７】
集光フィルタ１６は、プリズム１６２ｂ〜１６２ｏが形成されている表面の反対面が導光板１４と対向するように（プリズム１６２ｂ〜１６２ｏの頂部が液晶層１７に向くように）、つまり、図２（ｂ）の下方向に導光板１４が存在するように配置されている。尚、図２では、集光フィルタ１６の表面には１４個のプリズムしか記載していないが、実際には、プリズム１６２ｄとプリズム１６２ｅとの間や、プリズム１６２ｌとプリズム１６２ｍとの間に、それぞれ多数のプリズムが連続して形成されている。
【００２８】
プリズム１６２ｂ〜１６２ｏの各々は、集光フィルタ１６ｂの表面上の特定方向（図２のＹ方向）に延在する直線形状を呈しており、その形状は多角柱となっている。プリズム１６２ｂ〜１６２ｏは、特定方向と直交する方向（図２のＸ方向）に不規則に配列されている。プリズム１６２ｂ〜１６２ｏの配列ピッチＰ（隣接する２つのプリズムのＸ方向の幅の中点同士を結ぶ距離）は全て同一ではなく、ばらつきを持つことで、不規則配列となっている。
【００２９】
プリズム１６２ｂ〜１６２ｏの配列の不規則性の度合いについて説明する。
プリズム１６２ｂ〜１６２ｏの各々の頂部同士の間のＸ方向の距離の平均値ｄは、液晶層１７に形成される表示画素又はカラーフィルタのＸ方向の配列ピッチと同等か、それより小さい値にする。例えば、ｄは、５μｍから５００μｍの間の値である。
このとき、プリズム１６２ｂ〜１６２ｏの各々の頂部の位置（プリズム１６２ｂの頂部を起点としたときのＸ方向の座標）Ｘｉ（ｉは正の整数）は、以下の式（１）によって決まる。
【００３０】
Ｘｉ＝<ｘｉ>＋ΔＸｉ      （１）
ただし、<ｘｉ>＝ｉ×ｄ、ΔＸｉ＝（ｄ／３）×Ｒｉ
<ｘｉ>は、ｉ番目（プリズム１６２ｂの位置が０番目とする）のプリズムの頂部の平均位置座標である。
Ｒｉは、乱数である。又、Ｒｉは、−０．１≦Ｒｉ≦１．０の値を持つ乱数である。
ΔＸｉは、ランダムな位置変動量であり、上記ｄに正規乱数等の乱数Ｒｉを用いてランダムな揺らぎを与えた数値である。ΔＸｉの式における分母の３は、プリズム１６２ｂ〜１６２ｏの各々の頂部が同じ位置にならないようにするための定数であり、この値は、２より大きく１００より小さいことが好ましい。
【００３１】
上記式によってプリズム１６２ｂ〜１６２ｏの各々の頂部の位置（この頂部の透明平面基板１６１の表面からの高さは全て等しくする）を決定し、断面形状において、それぞれの頂部から、予め定めた頂角となるように２つの線を透明平面基板１６１に向かって下ろしていく。このとき、隣のプリズムとぶつかった場合には、その位置が２つのプリズムの谷部１６９となる。このようにプリズム１６２ｂ〜１６２ｏを形成することで、プリズム１６２ｂ〜１６２ｏの配列ピッチＰにばらつきを持たせることができ、この結果、プリズム１６２ｂ〜１６２ｏを不規則に配列することができる。
【００３２】
プリズム１６２ｂ〜１６２ｏの各々の頂部の透明平面基板１６１の表面からの高さは等しくなっている。プリズム１６２ｂ〜１６２ｏの各々の頂角（頂部の角度のこと）は等しくなっており、その角度は４５°〜１５０°の範囲に設計されている。
【００３３】
プリズム１６２ｂ〜１６２ｏの隣接する２つのプリズムで挟まれる谷部１６９の透明平面基板１６１の表面からの高さは、ばらつきを持っている。
【００３４】
このように、集光フィルタ１６は、プリズム１６２ｂ〜１６２ｏを連続して形成し、プリズム１６２ｂ〜１６２ｏの各々の頂部の透明平面基板１６１の表面からの高さを等しくし、プリズム１６２ｂ〜１６２ｏの各々の頂角を等しくした上で、プリズム１６２ｂ〜１６２ｏの隣接する２つのプリズムで挟まれる谷部１６９の透明平面基板１６１の表面からの高さをばらつかせることで、プリズム１６２ｂ〜１６２ｏの配列の不規則性を実現している。
【００３５】
以上のような集光フィルタ１６を有する液晶表示装置１００では、光源１１から導光板１４内部に入射した光が、導光板１４の下面の拡散板（又は反射板）１３で均一に拡散又は反射される。そして、光は全反射の臨界角よりも小さい角度で、導光板１４上面の光出射面から外部へ出射した後、直ちに拡散フィルム１５に入射し、多方向に拡散される。拡散された光は集光フィルタ１６に入射し、プリズム１６２ｂ〜１６２ｏにより光が集光されて液晶層１７に入射される。これにより、液晶表示装置１００の表示輝度を向上させることができる。
【００３６】
又、集光フィルタ１６によれば、プリズム１６２ｂ〜１６２ｏの配列が不規則となっているため、プリズム１６２ｂ〜１６２ｏの配列と、液晶表示装置１００の表示画素配列やカラーフィルタ等の配列との間で発生されるモアレを抑制することができる。
【００３７】
又、集光フィルタ１６によれば、プリズム１６２ｂ〜１６２ｏの頂部の高さが同一になっているため、集光フィルタ１６の平面性を確保することができる。集光フィルタ１６の平面性がよくないと、液晶表示装置１００に集光フィルタ１６を組み込んだときに、他の部材との間で撓み等が発生してしまうため、液晶表示装置１００の輝度にムラが生じることがある。ところが、上記のように集光フィルタ１６の平面性を確保することで、液晶表示装置１００の輝度ムラを抑えることができる。
【００３８】
又、集光フィルタ１６によれば、プリズム１６２ｂ〜１６２ｏを連続して形成しており、プリズム１６２ｂ〜１６２ｏ同士の間に隙間ができることはない。このため、光源１１からの光を効率良く集光することができる。
【００３９】
又、集光フィルタ１６によれば、プリズム１６２ｂ〜１６２ｏの各々の頂角が等しくなっている。このため、集光フィルタ１６の集光効果を高めることができ、液晶表示装置１００の表示輝度を向上させることができる。
【００４０】
又、本実施形態では、プリズム１６２ｂ〜１６２ｏの頂部の高さを同一とし、プリズム１６２ｂ〜１６２ｏを連続して形成し、プリズム１６２ｂ〜１６２ｏの各々の頂角を同一にするという条件下で、プリズム１６２ｂ〜１６２ｏの配列を不規則にするために、プリズム１６２ｂ〜１６２ｏ同士の間の谷部１６９の高さをばらつかせる構成をとっている。このようにすることで、モアレ低減、集光効果の向上、平面性の確保といった効果を併せ持つ集光フィルタを実現することができる。
【００４１】
尚、本実施形態では、プリズム１６２ｂ〜１６２ｏの形状を多角柱としたが、その形状は多角柱でなくても良い。例えば、図２において、プリズム１６２ｂ〜１６２ｏの突出部分が曲面になっているもの（図３（ａ）参照）や、プリズム１６２ｂ〜１６２ｏの突出部分及び谷部１６９が曲面になっているもの（図３（ｂ））であっても良い。図３に示した構成の場合、プリズム１６２ｂ〜１６２ｏの頂角とは、プリズム１６２ｉで説明すると、プリズム１６２ｉの頂部３１と、プリズム１６２ｉに隣接するプリズムとの間の２つの谷部３２とを結ぶ曲線上の２つの中点ｈにおける２本の接線３３のなす角度３４のことと定義する。
【００４２】
又、本実施形態では、プリズム１６２ｂ〜１６２ｏの各々の頂角を同一とし、プリズム１６２ｂ〜１６２ｏを連続して形成し、プリズム１６２ｂ〜１６２ｏ同士の間の谷部１６９の高さをばらつかせているが、集光フィルタ１６の平面性の確保及び液晶表示装置１００のモアレ低減という目的のためには、最低限、プリズム１６２ｂ〜１６２ｏの頂部の透明平面基板１６１の表面からの高さが同一で、プリズム１６２ｂ〜１６２ｏが不規則に配列されている構成であれば良い。例えば、プリズム１６２ｂ〜１６２ｏを連続して形成しない構成（Ｘ方向に隙間をあけて配列する構成）にすれば、プリズム１６２ｂ〜１６２ｏ同士の間の谷部１６９の高さをばらつかせず、プリズム１６２ｂ〜１６２ｏの各々の頂角を同一とせずに、プリズム１６２ｂ〜１６２ｏの頂部の透明平面基板１６１の表面からの高さを同一にして、プリズム１６２ｂ〜１６２ｏを不規則に配列することは可能である。
【００４３】
（第二実施形態）
本発明の第二実施形態を説明するための集光フィルタは、第一実施形態で説明した集光フィルタ１６が、以下に示す集光フィルタ１６ｂになったものである。
図４は、本発明の第二実施形態を説明するための集光フィルタの概略構成を示す斜視図である。
図４の集光フィルタ１６ｂは、透明平面基板１６１の表面の反対面に、第一実施形態と同様の構成のプリズム１６２ｂ〜１６２ｏを形成したものである。但し、透明平面基板１６１の反対面に形成されているプリズム１６２ｂ〜１６２ｏの配列方向は、透明平面基板１６１の表面に形成されているプリズム１６２ｂ〜１６２ｏの配列方向（Ｘ方向）と直交するようになっている。
【００４４】
このような構成とすることで、集光フィルタ１６ｂに入射する光が効率良く集光されることになり、液晶表示装置１００の輝度をより向上させることができる。
【００４５】
又、透明平面基板１６１の両面にプリズム１６２ｂ〜１６２ｏを規則的に配列した場合に比べ、モアレの発生を抑制することができる。
【００４６】
尚、上記では、同一の透明平面基板１６１の表面及び反対面にプリズム１６２ｂ〜１６２ｏを形成して１つの集光フィルタ１６ｂを実現しているが、図２に示す集光フィルタ１６を２つ用いることでも、集光フィルタ１６ｂと同様の効果を得ることができる。この場合、図２に示す集光フィルタ１６と導光板１４との間（例えば、集光フィルタ１６の真下）に集光フィルタ１６を更に配置し、この集光フィルタ１６のプリズム１６２ｂ〜１６２ｏの頂部が導光板１４に対向するようにして配置する。
このようにした場合、２つの集光フィルタ１６の間に空気との境界面が２つ存在することになるため、光源１１からの光の損失が大きい。ところが、図４に示す集光フィルタ１６ｂによれば、同一の透明平面基板１６１の表面及び反対面にプリズム１６２ｂ〜１６２ｏを形成しているため、反対面に形成されているプリズム１６２ｂ〜１６２ｏから出射された光が空気との境界面を介さずに表面のプリズム１６２ｂ〜１６２ｏに入射する。したがって、光源１１からの光の損失が少なくなり、液晶表示装置１００の輝度をより向上させることができる。又、図４に示す集光フィルタ１６ｂによれば、２つの集光フィルタ１６を用いる場合に比べて液晶表示装置１００の製造コストを削減することができる。尚、この２つの集光フィルタ１６は、それぞれのプリズムの頂部が向かい合うようにして液晶表示装置１００内に設けても良い。
【００４７】
又、上記では、透明平面基板１６１の表面及び反対面に、同じプリズム１６２ｂ〜１６２ｏを形成した構成としているが、表面に形成したプリズム１６２ｂ〜１６２ｏの配列の不規則性の度合いと、反対面に形成したプリズム１６２ｂ〜１６２ｏの配列の不規則性の度合いとを異ならせても良い。例えば、表面に形成したプリズム１６２ｂ〜１６２ｏにおける上記ｄの値と、反対面に形成したプリズム１６２ｂ〜１６２ｏにおける上記ｄの値とを異なったものとすれば良い。このようにすることで、モアレ低減効果をより向上させることが可能となる。
【００４８】
又、本実施形態では、プリズム１６２ｂ〜１６２ｏの各々の頂部の透明平面基板１６１ｃの表面からの高さを同一にし、プリズム１６２ｂ〜１６２ｏの各々の頂角を同一とし、プリズム１６２ｂ〜１６２ｏを連続して形成し、プリズム１６２ｂ〜１６２ｏ同士の間の谷部１６９の高さをばらつかせているが、液晶表示装置１００のモアレ低減という目的のためには、最低限、プリズム１６２ｂ〜１６２ｏが不規則に配列されている構成であれば良い。例えば、プリズム１６２ｂ〜１６２ｏを連続して形成しない構成（隙間をあけて配列する構成）にすれば、プリズム１６２ｂ〜１６２ｏ同士の間の谷部１６９の高さをばらつかせず、プリズム１６２ｂ〜１６２ｏの各々の頂部の透明平面基板１６１ｃの表面からの高さを同一にせず、プリズム１６２ｂ〜１６２ｏの各々の頂角を同一とせずに、プリズム１６２ｂ〜１６２ｏを不規則に配列することは可能である。
【００４９】
尚、第一及び第二実施形態では、プリズム１６２ｂ〜１６２ｏの各々の頂角の角度が４５°〜１５０°の範囲となっているが、この角度は、６０°〜１２０°の範囲であることが特に好ましい。
図５は、第一及び第二実施形態で説明した集光フィルタのプリズム１６２ｂ〜１６２ｏの各々の頂角の角度と、第一及び第二実施形態で説明した集光フィルタの相対的な光の強度（相対光度Ｉ）との関係を示す図である。図５に示したように、頂角が４５°〜１５０°の範囲のうち、６０°〜１２０°の範囲において相対光度Ｉが特に大きくなっている。このため、プリズム１６２ｂ〜１６２ｏの各々の頂角の角度を６０°〜１２０°の範囲に設計することで、より集光効果を高めることができる。
図６は、第一及び第二実施形態で説明した集光フィルタのプリズム１６２ｂ〜１６２ｏの各々の頂角の角度が６０°、９０°、１２０°のときと、集光フィルタ１６がないときとにおける、液晶表示装置１００の法線方向を０°としたときの法線方向からの角度（０°〜９０°）と、第一及び第二実施形態で説明した集光フィルタの相対光度との関係を示す図である。図６に示すように、法線方向からの角度が０°〜２０°の範囲では、集光フィルタ１６がない場合よりも、プリズム１６２ｂ〜１６２ｏの各々の頂角の角度が６０°、９０°、１２０°のときの相対光度Ｉが大きく、法線方向に対して集光効果が高いことが分かる。
【図面の簡単な説明】
【００５０】
【図１】本発明の実施形態を説明するための液晶表示装置の概略断面図
【図２】本発明の第一実施形態を説明するための集光フィルタの概略構成を示す図であり、（ａ）は斜視図、（ｂ）は（ａ）のＹ方向から見た図
【図３】本発明の第一実施形態を説明するための集光フィルタの変形例を示す図
【図４】本発明の第二実施形態を説明するための集光フィルタの概略構成を示す図
【図５】本発明の実施形態を説明するための集光フィルタのプリズムの角度と相対光度との関係を示す図
【図６】本発明の実施形態を説明するための集光フィルタの集光効果を説明するための図
【図７】非特許文献１記載のプリズムシートの概略構成を示す斜視図
【符号の説明】
【００５１】
１６ｂ  集光フィルタ
１６１  透明平面基板
１６２ｂ〜１６２ｏ  プリズム
【図１】
2005265894.tif 000003
【図２】
2005265894.tif 000004
【図３】
2005265894.tif 000005
【図４】
2005265894.tif 000006
【図５】
2005265894.tif 000007
【図６】
2005265894.tif 000008
【図７】
2005265894.tif 000009